(57)【要約】  帯域幅部分（ＢＷＰ）タイマ構成に対して動作可能な方法およびユーザ機器が、提供される。その方法は、アクティブ化されたＢＷＰ上の物理ダウンリンク制御チャネル（ＰＤＣＣＨ）を介して、ネットワークノードからダウンリンク割り当てを受信することと、前記ダウンリンク割り当てに従って、前記アクティブ化されたＢＷＰに関連するＢＷＰタイマを制御することを含む。
2021504988.tif 000002
【特許請求の範囲】
【請求項１】
帯域幅部分（ＢＷＰ）タイマ構成に対して動作可能なユーザ機器であって、
メモリと、
トランシーバと、
前記メモリおよび前記トランシーバに結合されたプロセッサとを備え、
前記プロセッサは
前記トランシーバを制御して、アクティブ化されたＢＷＰ上の物理ダウンリンク制御チャネル（ＰＤＣＣＨ）を介して、ネットワークノードからダウンリンク割り当てを受信し、
前記ダウンリンク割り当てに従って、前記アクティブ化されたＢＷＰに関連するＢＷＰタイマを制御するように、構成される、
ユーザ機器。
【請求項２】
前記ＰＤＣＣＨは、前記ダウンリンク割り当てを備えるダウンリンク制御情報（ＤＣＩ）を搬送する、請求項１に記載のユーザ機器。
【請求項３】
前記アクティブ化されたＢＷＰが満了したときに前記ダウンリンク割り当てが停止しない場合、前記ダウンリンク割り当てに従って、前記アクティブ化されたＢＷＰに関連する前記ＢＷＰタイマを制御することは、
前記プロセッサが、データ送信中に前記ＢＷＰタイマを開始または再開する、
ことを備える請求項１または２に記載のユーザ機器。
【請求項４】
前記ダウンリンク割り当てに従って、前記アクティブ化されたＢＷＰに関連する前記ＢＷＰタイマを制御することは、
前記トランシーバが前記ＤＣＩを受信した場合、または前記トランシーバが前記ＤＣＩを受信した後に、前記プロセッサが、データ送信の開始時またはデータ送信の間に、前記ＢＷＰタイマを停止する、
ことを備える請求項２に記載のユーザ機器。
【請求項５】
前記ダウンリンク割り当てに従って、前記アクティブ化されたＢＷＰに関連する前記ＢＷＰタイマを制御することは、
前記ダウンリンク割り当ての第１のシンボルにて、または前記ダウンリンク割り当てに従って搬送されるトランスポートブロックの第１の送信の最後のシンボルの後に、前記プロセッサが前記ＢＷＰタイマを停止する、
ことを備える請求項１に記載のユーザ機器。
【請求項６】
前記ダウンリンク割り当ての最後のシンボルの後、または前記ダウンリンク割り当て従って搬送されるトランスポートブロックの最後の送信の第１のシンボルにて、前記プロセッサが前記ＢＷＰタイマを再開するようにさらに構成される、請求項５に記載のユーザ機器。
【請求項７】
前記プロセッサは、再送信が生じた場合に、前記ＢＷＰタイマを再開するようにさらに構成される、請求項１から６のいずれかに記載のユーザ機器。
【請求項８】
前記ダウンリンク割り当てを示す前記ＰＤＣＣＨが前記アクティブ化されたＢＷＰ上で受信された場合、前記ダウンリンク割り当てに従って前記アクティブ化されたＢＷＰに関連する前記ＢＷＰタイマを制御することは、前記プロセッサが前記ＢＷＰタイマを開始または再開することを備えており、
再送信のための前記ダウンリンク割り当てが第１の送信と同じアクティブ化されたＢＷＰ上で受信された場合、前記プロセッサが前記ＢＷＰタイマを開始または再開するようにさらに構成される、
請求項１から６のいずれかに記載のユーザ機器。
【請求項９】
最後のＰＤＣＣＨによって指示された、前記アクティブ化されたＢＷＰ上で再送信が受信された場合、前記プロセッサが前記ＢＷＰタイマを開始または再開するように構成される、請求項８に記載のユーザ機器。
【請求項１０】
前記ＢＷＰタイマは、設定値およびデータ送信持続時間によって決定される、請求項１から９のいずれかに記載のユーザ機器。
【請求項１１】
前記データ送信持続時間は、前記ダウンリンク割り当ての第１のシンボルと、前記ダウンリンク割り当てに従って搬送されるトランスポートブロックの最後の送信の最後のシンボルとの間の範囲である、請求項１０に記載のユーザ機器。
【請求項１２】
前記ＢＷＰタイマは、前記設定値および前記データ送信持続時間の最大値である、請求項１０または１１に記載のユーザ機器。
【請求項１３】
ユーザ機器の帯域幅部分（ＢＷＰ）タイマ構成に対して動作可能な方法であって、
アクティブ化されたＢＷＰ上で物理ダウンリンク制御チャネル（ＰＤＣＣＨ）を介して、ネットワークノードからダウンリンク割り当てを受信することと、
前記ダウンリンク割り当てに従って、前記アクティブ化されたＢＷＰに関連するＢＷＰタイマを制御することと、
を備える方法。
【請求項１４】
前記ＰＤＣＣＨは、前記ダウンリンク割り当てを備えるダウンリンク制御情報（ＤＣＩ）を搬送する、請求項１３に記載の方法。
【請求項１５】
前記アクティブ化されたＢＷＰが満了したときに前記ダウンリンク割り当てが停止しない場合、前記ダウンリンク割り当てに従って、前記アクティブ化されたＢＷＰに関連する前記ＢＷＰタイマを制御することは、データ送信中に前記ＢＷＰタイマを開始または再開することを備える、請求項１３または１４に記載の方法。
【請求項１６】
前記ダウンリンク割り当てに従って、前記アクティブ化されたＢＷＰに関連する前記ＢＷＰタイマを制御することは、
前記ＤＣＩを受信した場合又は前記ＤＣＩを受信した後に、データ送信の開始時又はデータ送信の間に、前記ＢＷＰタイマを停止することを備える、
請求項１４に記載の方法。
【請求項１７】
前記ダウンリンク割り当てに従って、前記アクティブ化されたＢＷＰに関連する前記ＢＷＰタイマを制御することは、
前記ダウンリンク割り当ての第１のシンボルにて、または前記ダウンリンク割り当てに従って搬送されるトランスポートブロックの第１の送信の最後のシンボルの後に、前記ＢＷＰタイマを停止することを備える、
請求項１４に記載の方法。
【請求項１８】
前記ダウンリンク割り当ての最後のシンボルの後、または前記ダウンリンク割り当てに従って搬送されるトランスポートブロックの最後の送信の第１のシンボルにて、前記ＢＷＰタイマを再開することをさらに備える、請求項１７に記載の方法。
【請求項１９】
再送信が生じた場合に、前記ＢＷＰタイマを再開することをさらに備える、請求項１５  から１８のいずれか一項に記載の方法。
【請求項２０】
前記ダウンリンク割り当てを示す前記ＰＤＣＣＨが前記アクティブ化されたＢＷＰ上で受信された場合、前記ダウンリンク割り当てに従って、前記アクティブ化されたＢＷＰに関連する前記ＢＷＰタイマを制御することは、前記ＢＷＰタイマを開始することまたは再開することを備えており、
再送信のための前記ダウンリンク割り当てが第１の送信と同じアクティブ化されたＢＷＰ上で受信された場合、前記方法は、前記ＢＷＰタイマを開始または再開することをさらに備える、請求項１５から１８のいずれか一項に記載の方法。
【請求項２１】
最後のＰＤＣＣＨによって指示された、前記アクティブ化されたＢＷＰ上で再送信が受信された場合、前記方法は、前記ＢＷＰタイマを開始または再開することを備える、請求項２０に記載の方法。
【請求項２２】
前記ＢＷＰタイマは、設定値及びデータ送信持続時間によって決定される、請求項１３から２１のいずれか一項に記載の方法。
【請求項２３】
前記データ送信持続時間は、前記ダウンリンク割り当ての第１のシンボルと前記ダウンリンク割り当てに従って搬送されるトランスポートブロックの最後の送信の最後のシンボルとの間の範囲である、請求項２２に記載の方法。
【請求項２４】
前記ＢＷＰタイマは、前記設定値および前記データ送信持続時間の最大値である、請求項２２または２３に記載の方法。
【請求項２５】
コンピュータによって実行されると、前記コンピュータに請求項１３から２４のいずれか一項に記載の方法を実行させる命令を格納した、非一時的な機械可読記憶媒体。
【請求項２６】
プロセッサと、コンピュータプログラムを格納するメモリとを備えており、前記プロセッサは、前記メモリに格納された前記コンピュータプログラムを実行して請求項１３から２４のいずれか一項に記載の方法を実行するように構成される端末装置。
【発明の詳細な説明】
【技術分野】
【０００１】
本開示は、通信システムの分野に関し、より詳細には、帯域幅部分（ＢＷＰ：Bandwidth Part）タイマ構成に対して動作可能な方法およびユーザ機器に関する。
【０００２】
帯域幅部分（ＢＷＰ）タイマがデータ送信の持続時間未満である場合、ユーザ機器などの装置は、残りのデータを送信および／または受信しない。すなわち、ＢＷＰタイマの満了によりデータ送信が中断されることもあり得る。
【０００３】
帯域幅部分（ＢＷＰ）タイマの構成に対して動作可能な方法およびユーザ機器のための新しい技術的解決策を、提供する必要がある。
【発明の概要】
【０００４】
本開示の目的は、データ送信を保証して、帯域幅部分（ＢＷＰ）タイマ構成に対して動作可能な方法およびユーザ機器を提案することである。
【０００５】
本開示の第１の態様では、帯域幅部分（ＢＷＰ）タイマ構成に対して動作可能なユーザ機器は、メモリと、トランシーバと、メモリおよびトランシーバに結合されたプロセッサとを含む。プロセッサは、トランシーバを制御して、ネットワークノードから、アクティブ化されたＢＷＰ上の物理ダウンリンク制御チャネル（ＰＤＣＣＨ）を介して、ダウンリンク割り当てを受信し、ダウンリンク割り当てに従って、アクティブ化されたＢＷＰに関連するＢＷＰタイマを制御するように構成される。
【０００６】
本開示の第２の態様では、ユーザ機器の帯域幅部分（ＢＷＰ）タイマ構成に対して動作可能な方法は、アクティブ化されたＢＷＰ上の物理ダウンリンク制御チャネル（ＰＤＣＣＨ）を介して、ネットワークノードから、ダウンリンク割り当てを受信することと、ダウンリンク割り当てに従って、アクティブ化されたＢＷＰに関連するＢＷＰタイマを制御することを含む。
【０００７】
本開示の第３の態様では、非一時的な機械可読記憶媒体が、コンピュータによって実行されるときに、コンピュータに上記の方法を実行させる命令を、格納している。
【０００８】
本開示の第４の態様では、端末装置は、プロセッサと、コンピュータプログラムを格納するように構成されたメモリとを含む。プロセッサは、メモリに記憶されたコンピュータプログラムを実行して上記の方法を実行するように構成される。
【図面の簡単な説明】
【０００９】
本開示または関連技術の実施形態をより明確に示すために、以下の図を実施形態において簡単に説明する。図面が本開示のいくつかの実施例にすぎないことは明らかであり、この分野の当業者は、前提を払うことなく、これらの図に従って他の図を得ることができる。
【図１】図１は、本開示の一実施形態に係る帯域幅部分（ＢＷＰ）タイマ構成に対して動作可能なユーザ機器のブロック図である。
【図２】図２は、本開示の一実施形態に係るユーザ機器のＢＷＰタイマ構成に対して動作可能な方法を示すフローチャートである。
【図３】図３は、本開示の一実施形態に係るＢＷＰタイマの制御方法を示す模式図である。
【図４】図４は、本開示の他の実施形態に係るＢＷＰタイマの制御方法を示す模式図である。
【図５】図５は、本開示の他の実施形態に係るＢＷＰタイマの制御方法を示す模式図である。
【図６】図６は、本開示の他の実施形態に係るＢＷＰタイマの制御方法を示す模式図である。
【図７】図７は、本開示の一実施形態に係る無線通信システムのブロック図である。
【発明を実施するための形態】
【００１０】
以下、添付図面を参照して、本開示の実施の形態について、その技術的事項、構成上の特徴、達成される目的、効果等を詳細に説明する。具体的には、本開示の実施形態における用語は、特定の実施形態の目的を説明するためのものであって、開示を限定するものではない。
【００１１】
図１は、いくつかの実施形態において、帯域幅部分（ＢＷＰ）タイマ構成に対して動作可能なユーザ機器（ＵＥ）１０が、プロセッサ１１、メモリ１２、およびトランシーバ１３を含んでもよいことを示す。プロセッサ１１は、本明細書で説明する提案された機能、手順、および／または方法を実施するように構成することができる。無線インタフェースプロトコルの層は、プロセッサ１１に実装されてもよい。メモリ１２は、プロセッサ１１に動作可能に結合され、プロセッサ１１を動作させるための様々な情報を記憶する。トランシーバ１３は、プロセッサ１１に動作可能に結合され、無線信号を送信および／または受信する。
【００１２】
プロセッサ１１は、特定用途向け集積回路（ＡＳＩＣ：Application-Specific Integrated Circuit）、他のチップセット、論理回路および／またはデータ処理装置を含むことができる。メモリ１２は、読み出し専用メモリ（ＲＯＭ：Read-Only Memory）、ランダムアクセスメモリ（ＲＡＭ：Random Access Memory）、フラッシュメモリ、メモリカード、記憶媒体および／または他の記憶装置を含むことができる。トランシーバ１３は、無線周波数信号を処理するベースバンド回路を含むことができる。実施形態がソフトウェアで実施される場合、本明細書に記載される技術は、本明細書に記載される機能を実行するモジュール（例えば、手順、機能など）で実施することができる。モジュールは、メモリ１２に格納され、プロセッサ１１によって実行することができる。メモリ１２は、プロセッサ１１内に実装されてもよいし、プロセッサ１１の外部に実装されてもよく、その場合には、当該技術分野で公知の様々な手段を介してプロセッサ１１に通信可能に結合されてもよい。
【００１３】
複数のユーザ機器の間の通信は、第３世代パートナーシッププロジェクト（３ＧＰＰ：3rd Generation Partnership Project）新無線（ＮＲ：New Radio）リリース１６以降で開発されたサイドリンク技術に基づき、車両対車両（Ｖ２Ｖ：Vehicle-to-Vehicle）、車両対歩行者（Ｖ２Ｐ：Vehicle-to-Pedestrian）、車両対インフラストラクチャ／ネットワーク（Ｖ２Ｉ／Ｎ：Vehicle-to-Infrastructure/Network）を含む車両対エブリシング（Ｖ２Ｘ：Vehicle-to-Everything）の全ての通信に関連する。複数のユーザ機器は、ＰＣ５インターフェースのようなサイドリンクインターフェースを介して互いに直接通信される。
【００１４】
いくつかの実施形態では、プロセッサ１１はトランシーバ１３を制御し、ネットワークノードから、アクティブ化されたＢＷＰ上の物理ダウンリンク制御チャネル（ＰＤＣＣＨ）を介して、ダウンリンク割り当てを受信し、ダウンリンク割り当てに従って、アクティブ化されたＢＷＰに関連するＢＷＰタイマを制御する。
【００１５】
図２は、本開示の一実施形態に係るユーザ機器１０のＢＷＰタイマ構成に対して動作可能な方法２００を示す。方法２００は、ブロック２０２において、ネットワークノードから、アクティブ化されたＢＷＰ上の物理ダウンリンク制御チャネル（ＰＤＣＣＨ）を介して、ダウンリンク割り当てを受信することと、ブロック２０４において、ダウンリンク割り当てに従って、アクティブ化されたＢＷＰに関連するＢＷＰタイマを制御することを含んでいる。
【００１６】
いくつかの実施形態では、ＢＷＰタイマは、例えば、ＢＷＰ非活動タイマである。ユーザ機器がネットワークを介してデータを送受信しているとき、ユーザ機器はアクティブまたはアクティブ化されたモードにある。アクティブまたはアクティブ化されたモードにある間、ユーザ機器は、ネットワークとの接続の確立に起因する遅延を実質的に伴うことなく、ネットワークを介してデータを送受信することができる。ユーザ機器とネットワークとの間でデータが送信されない所定の時間の後、ユーザ機器は自動的に非アクティブまたは非アクティブ化されたモードに切り替わる。ユーザ機器が非アクティブまたは非アクティブ化されたモードに切り替わるまでの非アクティブ時間は、ＢＷＰ−非アクティビティタイマーによって制御される。
【００１７】
図１および図３は、いくつかの実施形態において、ＰＤＣＣＨが、ダウンリンク割り当てを含むダウンリンク制御情報（ＤＣＩ）３００を搬送することを示す。いくつかの実施形態では、アクティブ化されたＢＷＰが満了してもダウンリンク割り当てが停止しない場合、ダウンリンク割り当てに従って、アクティブ化されたＢＷＰに関連するＢＷＰタイマを制御することは、プロセッサ１１がデータ送信中にＢＷＰタイマを開始または再開することを含む。例えば、ダウンリンク割り当てに従って搬送されるトランスポートブロックの第１の送信３０１および第２の送信３０２の後にアクティブ化されたＢＷＰが満了した際に、ダウンリンク割り当てが停止しない場合、すなわち、ダウンリンク割り当てに従って搬送されるトランスポートブロックの第１の送信３０１および第２の送信３０２がＢＷＰタイマに対して有効な持続時間である場合、ダウンリンク割り当てに従ってアクティブ化されたＢＷＰタイマを制御することは、ダウンリンク割り当てに従って搬送されるトランスポートブロックの第３の送信３０３および第４の送信３０４がＢＷＰタイマに対して有効な持続時間であるように、プロセッサ１１が、搬送されるトランスポートブロックの第３の送信３０３の開始時に、ＢＷＰタイマを開始又は再開することを含む。
【００１８】
図１、図４、および図５は、いくつかの実施形態において、ＰＤＣＣＨが、ダウンリンク割り当てを含むダウンリンク制御情報（ＤＣＩ）３００を搬送することを示す。いくつかの実施形態では、プロセッサ１１は、トランシーバ１３がＤＣＩ３００を受信した場合、データ送信の開始時（図５に示すように）またはデータ送信中（図４に示すように）に、ＢＷＰタイマを停止する。いくつかの実施形態では、プロセッサ１１は、トランシーバ１３がＤＣＩ３００を受信した後に、データ送信の開始時（図５に示すように）またはデータ送信中（図４に示すように）にＢＷＰタイマを停止する。プロセッサ１１は、データ送信後（図５に示すように）またはデータ送信中（図４に示すように）に、ＢＷＰタイマを再開する。
【００１９】
図１および図４は、いくつかの実施形態において、プロセッサ１１が、ダウンリンク割り当てに従って搬送されるトランスポートブロックの第１の送信４０１の最後のシンボルの後にＢＷＰタイマを停止し、その結果、ダウンリンク割り当てに従って搬送されるトランスポートブロックの第１の送信４０１が、ＢＷＰタイマに対して有効な持続時間となる。ダウンリンク割り当てに従って搬送されるトランスポートブロックの第２の送信４０２および第３の送信４０３もまた、ＢＷＰタイマに対して有効な持続時間である。ダウンリンク割り当てに従って、アクティブ化されたＢＷＰに関連するＢＷＰタイマを制御することは、ダウンリンク割り当てに従って搬送されるトランスポートブロックの第４の送信４０４がＢＷＰタイマに対して有効な持続時間となるように、プロセッサ１１が、ダウンリンク割り当てに従って搬送されるトランスポートブロックの第４の送信４０４のような最後の送信の第１のシンボルにて、ＢＷＰタイマを再開することを含む。
【００２０】
図１および図５は、いくつかの実施形態において、ダウンリンク割り当てに従ってアクティブ化されたＢＷＰに関連するＢＷＰタイマを制御することが、プロセッサ１１が、ダウンリンク割り当ての第１のシンボルでＢＷＰタイマを停止または開始することを含むことを示す。いくつかの実施形態では、プロセッサ１１は、ダウンリンク割り当ての最後のシンボルの後にＢＷＰタイマを再開する。ダウンリンク割り当てに従って搬送されるトランスポートブロックの第１の送信５０１、第２の送信５０２、第３の送信５０３、および第４の送信４０４は、ＢＷＰタイマに対して有効な持続時間である。
【００２１】
図１および図６は、いくつかの実施形態において、ＰＤＣＣＨが、ダウンリンク割り当てを含むダウンリンク制御情報（ＤＣＩ）３００を搬送することを示す。いくつかの実施形態では、ダウンリンク割り当てに従ってアクティブ化されたＢＷＰに関連するＢＷＰタイマを制御することは、再送信が生じたときにプロセッサ１１がＢＷＰタイマを再開することを含む。再送信は、自動再送信であってもよい。詳細には、アクティブ化されたＢＷＰで下りリンク割り当てを示すＰＤＣＣＨを受信した場合には、プロセッサ１１は、ＢＷＰタイマを開始又は再開し、また、第１の送信６０１と同じアクティブ化されたＢＷＰで再送信のための下りリンク割り当てを受信した場合には、ＢＷＰタイマを開始又は再開する。最後のＰＤＣＣＨによって指示された、アクティブ化されたＢＷＰで再送信が受信されると、プロセッサ１１は、ＢＷＰタイマを開始または再開する。プロセッサ１１は、ダウンリンク割り当てに従って搬送されるトランスポートブロックの第１の送信６０１、第２の送信６０２、第３の送信６０３、および第４の送信６０４の第１のシンボルでＢＷＰタイマを再開し、ダウンリンク割り当てに従って搬送されるトランスポートブロックの第１の送信６０１、第２の送信６０２、第３の送信６０３、および第４の送信６０４のそれぞれがＢＷＰタイマに対して有効な持続時間であるようにする。
【００２２】
いくつかの実施形態では、ＢＷＰタイマは、設定値およびデータ送信持続時間によって決定される。詳細には、データ送信持続時間は、ダウンリンク割り当ての最初のシンボルと、ダウンリンク割り当てに従って搬送されるトランスポートブロックの最後の送信の最後のシンボルとの間の範囲である。ＢＷＰタイマは、設定値とデータ送信時間の最大値である。いくつかの実施形態では、ＤＣＩは、ダウンリンク割り当てに従って搬送される第１の送信トランスポートブロックから分離される。例えば、ＤＣＩと最初の送信との間には、例えば１マイクロ秒のような持続時間がある。
【００２３】
図７は、本開示の一実施形態に係る無線通信のための例示的なシステム７００のブロック図である。本明細書に記載される実施形態は、任意の適切に構成されたハードウェアおよび／またはソフトウェアを使用してシステムに実装することができる。図７は、少なくとも図示のように互いに結合された、無線周波数（ＲＦ）回路７１０、ベースバンド回路７２０、アプリケーション回路７３０、メモリ／記憶装置７４０、ディスプレイ７５０、カメラ７６０、センサ７７０、および入出力（Ｉ／Ｏ）インターフェース７８０を含むシステム７００を示す。
【００２４】
アプリケーション回路７３０は、１つ以上のシングルコアまたはマルチコアプロセッサなどの回路を含むことができるが、これらに限定されない。プロセッサは、汎用プロセッサと、グラフィックスプロセッサ、アプリケーションプロセッサなどの専用プロセッサとの任意の組み合わせを含むことができる。プロセッサは、メモリ／記憶装置に結合され、メモリ／記憶装置に格納された命令を実行して、システム上で動作する様々なアプリケーションおよび／またはオペレーティングシステムを可能にするように構成することができる。
【００２５】
ベースバンド回路７２０は、１つ以上のシングルコアまたはマルチコアプロセッサなどの回路を含むことができるが、これらに限定されない。プロセッサは、ベースバンドプロセッサを含むことができる。ベースバンド回路は、ＲＦ回路を介して１つ以上の無線ネットワークとの通信を可能にする様々な無線制御機能を処理することができる。無線制御機能は、信号変調、符号化、復号化、無線周波数シフトなどを含むことができるが、これらに限定されない。いくつかの実施形態では、ベースバンド回路は、１つ以上の無線技術と互換性のある通信を提供することができる。例えば、いくつかの実施形態では、ベースバンド回路は、発展型ユニバーサル地上無線アクセスネットワーク（ＥＵＴＲＡＮ：Evolved Universal Terrestrial Radio Access Network）および／または他の無線メトロポリタンエリアネットワーク（ＷＭＡＮ：Wireless Metropolitan Area Networks）、無線ローカルエリアネットワーク（ＷＬＡＮ：Wireless Local Area Network）、無線パーソナルエリアネットワーク（ＷＰＡＮ：Wireless Personal Area Network）との通信をサポートすることができる。ベースバンド回路が、複数の無線プロトコルの無線通信をサポートするように構成される実施形態は、マルチモード・ベースバンド回路と呼ばれる。
【００２６】
様々な実施形態では、ベースバンド回路７２０は、ベースバンド周波数にあると厳密には見なされない信号で動作する回路を含むことができる。例えば、いくつかの実施形態では、ベースバンド回路は、ベースバンド周波数と無線周波数との間の中間周波数を有する信号で動作する回路を含むことができる。
【００２７】
ＲＦ回路７１０は、非固体媒体（Non-solid medium）を介して変調された電磁放射を使用する無線ネットワークとの通信を可能にすることができる。様々な実施形態では、ＲＦ回路は、無線ネットワークとの通信を容易にするために、スイッチ、フィルタ、増幅器などを含むことができる。
【００２８】
様々な実施形態では、ＲＦ回路７１０は、厳密には無線周波数にあるとは見なされない信号で動作する回路を含むことができる。例えば、いくつかの実施形態では、ＲＦ回路は、ベースバンド周波数と無線周波数との間の中間周波数を有する信号で動作する回路を含むことができる。
【００２９】
様々な実施形態では、ユーザ機器、ｅＮＢ、またはｇＮＢに関して上述した送信機回路、制御回路、または受信機回路は、ＲＦ回路、ベースバンド回路、および／またはアプリケーション回路のうちの１つまたは複数において、全体または一部が実施されてもよい。本明細書で使用される場合、「回路」は、１つ以上のソフトウェアまたはファームウェアプログラム、組合せ論理回路、および／または記載された機能を提供する他の適切なハードウェア構成要素を実行する特定用途向け集積回路（ＡＳＩＣ）、電子回路、プロセッサ（共有、専用、またはグループ）、および／またはメモリ（共有、専用、またはグループ）を指すか、それらの一部であるか、またはそれらを含むことができる。いくつかの実施形態では、電子デバイス回路は、１つ以上のソフトウェアまたはファームウェアモジュール内に実装されてもよく、または回路に関連する機能は、１つ以上のソフトウェアまたはファームウェアモジュールによって実装されてもよい。
【００３０】
いくつかの実施形態では、ベースバンド回路、アプリケーション回路、および／またはメモリ／記憶装置の構成要素の一部または全部を、システムオンチップ（ＳＯＣ）上に一緒に実装することができる。
【００３１】
メモリ／記憶装置７４０は、例えば、システムのデータおよび／または命令をロードおよび格納するために使用することができる。一実施形態のメモリ／記憶装置は、ダイナミックランダムアクセスメモリ（ＤＲＡＭ）などの適切な揮発性メモリ、および／またはフラッシュメモリなどの不揮発性メモリの任意の組み合わせを含むことができる。
【００３２】
様々な実施形態では、Ｉ／Ｏインターフェース７８０は、システムとのユーザ対話を可能にするように設計された１つ以上のユーザインターフェース、および／またはシステムとの周辺コンポーネント対話を可能にするように設計された周辺コンポーネントインターフェースを含むことができる。ユーザインターフェースは、物理キーボードまたはキーパッド、タッチパッド、スピーカ、マイクロホンなどを含むことができるが、これらに限定されない。周辺機器コンポーネントインターフェースは、不揮発性メモリポート、ユニバーサルシリアルバス（ＵＳＢ）ポート、オーディオジャック、および電源インターフェースを含むことができるが、これらに限定されない。
【００３３】
様々な実施形態では、センサ７７０は、システムに関連する環境条件および／または位置情報を決定するための１つ以上の検知装置を含むことができる。いくつかの実施形態では、センサは、ジャイロセンサ、加速度計、近接センサ、環境光センサ、および位置決めユニットを含むことができるが、これらに限定されない。また、測位ユニットは、例えば全地球測位システム（ＧＰＳ）衛星などの測位ネットワークの構成要素と通信するために、ベースバンド回路および／またはＲＦ回路の一部であってもよく、またはこれらと相互作用してもよい。
【００３４】
様々な実施形態では、ディスプレイ７５０は、液晶ディスプレイおよびタッチスクリーンディスプレイなどのディスプレイを含むことができる。様々な実施形態では、システム７００は、限定されるものではないが、ラップトップ・コンピューティング・デバイス、タブレット・コンピューティング・デバイス、ネットブック、ウルトラブック、スマートフォンなどのモバイル・コンピューティング・デバイスとすることができる。様々な実施形態では、システムは、より多くの、またはより少ないコンポーネント、および／または異なるアーキテクチャを有することができる。必要に応じて、本明細書に記載する方法をコンピュータプログラムとして実施することができる。コンピュータプログラムは、非一時的記憶媒体などの記憶媒体に格納することができる。
【００３５】
本開示の実施形態では、データ送信を保証するために帯域幅部分（ＢＷＰ）タイマ構成に対して動作可能な方法およびユーザ機器が提供される。本開示の実施形態は、最終製品を作成するために３ＧＰＰ仕様で採用することができる技術／プロセスの組合せである。
【００３６】
当業者は、本開示の実施形態に記載され開示された各ユニット、アルゴリズム、およびステップが、電子ハードウェア、またはコンピュータおよび電子ハードウェア用のソフトウェアの組み合わせを使用して実現されることを理解する。機能がハードウェアで実行されるかソフトウェアで実行されるかは、アプリケーションの条件および技術計画の設計要件によって異なる。
【００３７】
当業者は、特定の用途ごとに機能を実現するために異なる方法を使用することができるが、そのような実現は本開示の範囲を超えるものではない。上述のシステム、装置、及びユニットの動作プロセスは基本的に同じであるので、当業者は、上述の実施形態におけるシステム、装置、及びユニットの動作プロセスを参照できることを理解する。簡単に説明し、簡単にするために、これらの作業プロセスは詳細には説明しない。
【００３８】
本開示の実施形態における開示されたシステム、装置、および方法は、他の方法で実現可能であることが理解される。上述の実施形態は、例示的なものに過ぎない。ユニットの分割は単に論理的な機能に基づいており，他の分割は現に存在する。複数のユニットまたはコンポーネントを別のシステムに結合または統合することが可能である。また、一部の特性が省略またはスキップされる場合もある。一方、表示または説明される相互結合、直接結合、または通信結合は、電気的、機械的、または他の種類の形態によって間接的または通信的に、いくつかのポート、デバイス、またはユニットを介して動作する。
【００３９】
説明のための分離構成要素としてのユニットは、物理的に分離されているか、または分離されていない。表示のためのユニットは、物理的なユニットであるか、または物理的なユニットではなく、すなわち、１つの場所に配置されるか、または複数のネットワーク・ユニットに分散される。ユニットの一部または全部は、実施形態の目的に従って使用される。また、各実施形態における各機能部は、１つの処理単位に統合されていてもよいし、物理的に独立していてもよいし、２以上の処理単位で１つの処理単位に統合されていてもよい。
【００４０】
ソフトウェア機能ユニットが実現され、製品として使用され、販売される場合には、コンピュータの読み取り可能な記憶媒体に格納することができる。この理解に基づいて、本開示によって提案される技術プランは、本質的にまたは部分的に、ソフトウェア製品の形態として実現することができる。あるいは，従来技術に有益な技術計画の一部をソフトウェア製品の形で実現することもできる。コンピュータ内のソフトウェア製品は、本開示の実施形態によって開示されたステップの全部または一部を実行するための計算装置（パーソナルコンピュータ、サーバ、またはネットワーク装置など）に対する複数のコマンドを含む記憶媒体に格納される。記憶媒体は、ＵＳＢディスク、モバイルハードディスク、読み取り専用メモリ（ＲＯＭ）、ランダムアクセスメモリ（ＲＡＭ）、フロッピー（登録商標）ディスク、またはプログラムコードを記憶することができる他の種類の媒体を含む。
【００４１】
本開示は、最も実用的かつ好ましい実施形態と考えられるものに関連して説明したが、本開示は、開示された実施形態に限定されるものではなく、添付の特許請求の範囲の最も広い解釈の範囲から逸脱することなく行われる様々な構成をカバーすることを意図していることが理解される。
【図１】
2021504988.tif 000003
【図２】
2021504988.tif 000004
【図３】
2021504988.tif 000005
【図４】
2021504988.tif 000006
【図５】
2021504988.tif 000007
【図６】
2021504988.tif 000008
【図７】
2021504988.tif 000009
【国際調査報告】
2021504988.tif 000010
2021504988.tif 000011